(57)【要約】      （修正有）【課題】指示ランプを有するキースイッチモジュール、キーボード及び電子装置を提供する。【解決手段】金属ベースプレート、回路基板、発光素子、スペーサーを含むキースイッチモジュールである。回路基板は、金属ベースプレートに積み重ねられ、金属ベースプレートを露出可能な複数の抜け穴を有する。発光素子は、回路基板に設けられる。スペーサーは、回路基板に平らに敷かれ、発光素子を覆う。スペーサーは、透光部及び複数の貫通孔を含む。透光部は、スペーサーに設けられ、かつ発光素子と整列する。これらの貫通孔は、スペーサーに設置され、共に第１の透光部を取り囲み、別々にこれらの抜け穴と一対一で合わせる。同時に、キースイッチモジュールを有するキーボード及び電子装置をも開示する。【選択図】図２
0003168707.tif 000002
【実用新案登録請求の範囲】
【請求項１】
金属ベースプレートと、
前記金属ベースプレートに積み重ねられ、前記金属ベースプレートを露出可能な複数の抜け穴を有する回路基板と、
前記回路基板に設けられる少なくとも一つの発光素子と、
前記回路基板に平らに敷かれ、前記発光素子を覆っており、スペーサーに設けられかつ前記発光素子と整列する第１の透光部と、前記スペーサーに設置され、共に前記第１の透光部を取り囲み、別々に前記抜け穴と一対一で合わせる複数の貫通孔とを含む少なくとも一つのスペーサーと、
を備えるスイッチモジュール。
【請求項２】
前記スペーサーは、前記第１の透光部を取り囲む不透光領域をさらに含む請求項１に記載のキースイッチモジュール。
【請求項３】
前記スペーサーは、フレキシブル性を有し、かつ実体で前記発光素子と接触する請求項２に記載のキースイッチモジュール。
【請求項４】
前記スペーサーは、前記発光素子と距離を保持するエンボス部を含み、その内、前記第１の透光部が前記エンボス部にある請求項２に記載のキースイッチモジュール。
【請求項５】
前記第１の透光部が通気孔または透光パターンである請求項３または４に記載のキースイッチモジュール。
【請求項６】
前記少なくとも一つの発光素子の数が複数であり、かつ前記少なくとも一つのスペーサーの数が一つである場合に、前記スペーサーは、前記回路基板及び前記発光素子を覆う請求項１に記載のキースイッチモジュール。
【請求項７】
前記少なくとも一つの発光素子及び前記少なくとも一つのスペーサーの数が複数である場合に、各前記スペーサーは、前記回路基板及び各前記発光素子を覆う請求項１に記載のキースイッチモジュール。
【請求項８】
前記スペーサーの上に設けられ、前記第１の透光部と整列する第２の透光部を含むキーキャップをさらに備える請求項１に記載のキースイッチモジュール。
【請求項９】
請求項１ないし８のいずれか一つに記載のキースイッチモジュールを含むキーボード。
【請求項１０】
請求項１ないし８のいずれか一つに記載のキースイッチモジュールを含む電子装置。
【考案の詳細な説明】
【技術分野】
【０００１】
本考案は、キースイッチモジュールに関し、特に指示ランプを有するキースイッチモジュール、キーボード及び電子装置に関する。
【背景技術】
【０００２】
近年、光線の弱いところで携帯電子装置（例えば、ノートパソコン又はスマートフォン等）を使用する場合に、使用者がキーボードのキースイッチに表示された数字及び文字をはっきり見えないことで作業が困難となり、延いてはキースイッチに表示されたものを無理に識別することで、使用者の視力を損傷してしまうこともある。そのため、当業者は、特定のキースイッチに指示ランプを増設して、前記問題を改善しようとする。また、指示ランプの異なる発光配置（明るい、暗い又は点滅方式）によって、使用者にキースイッチに関連するメッセージ（例えば、有効化又は無効化）を提供して、更に使用者のために便利性を増加できる。
【０００３】
例として、この背景技術では、特定のキースイッチに指示ランプを増設したキーボードは、ベースプレートモジュールが回路基板、発光素子、スペーサーを含む。発光素子は、回路基板に設けられ、且つスペーサーと回路基板との間にあり、また、スペーサーにおいて発光素子に対応する位置に貫通孔が設けられる。キースイッチのキーキャップは、スペーサーに設けられ、かつ貫通孔に対応する位置に光透過構造がある。これにより、発光素子の光線は、スペーサーの貫通孔及びキーキャップの光透過構造を通り抜けて、キーキャップの表面に現れることができる。また、キースイッチのエラストマーがスペーサーの一面に直接に接続されており、かつ回路基板にエラストマーの位置に対応するスイッチが設けられてよい。キースイッチが使用されて押圧された場合に、エラストマーが圧縮されて変形して、スイッチを触発させ、更にキースイッチが押圧されたことが判定される。
【考案の概要】
【考案が解決しようとする課題】
【０００４】
しかし、携帯電子装置のキーボードに対して、静電気試験を行う場合に、静電気が常にスペーサーの貫通孔によってスペーサーを通過し、更に発光素子を電撃して損害してしまう。
【課題を解決するための手段】
【０００５】
本考案は、指示ランプ機能を提供するためのキースイッチモジュール、キーボード及び電子装置を提供する。
【０００６】
本考案は、静電気試験を行う場合に、静電気が発光素子を損害する可能性を下げ、延いては免れるためのキースイッチモジュール、キーボード及び電子装置を提供する。
【０００７】
本考案は、発光素子とスペーサーに対する有効な位置決め方式を提供するためのキースイッチモジュール、キーボード及び電子装置を提供する。
【０００８】
本考案の一実施形態によって提供したキースイッチモジュールは、金属ベースプレート、回路基板、発光素子、スペーサーを含む。回路基板は、金属ベースプレートに積み重ねられ、金属ベースプレートを露出可能な複数の抜け穴を有する。発光素子は、回路基板に設けられる。スペーサーは、回路基板に平らに敷かれ、発光素子を覆う。スペーサーは、第１の透光部及び複数の貫通孔を含む。第１の透光部は、スペーサーに設けられ、かつ発光素子と整列する。これらの貫通孔は、スペーサーに設置され、共に第１の透光部を取り囲み、別々にこれらの抜け穴と一対一で合わせる。
【０００９】
本考案の他の態様は、前記キースイッチモジュールを有するキーボード及び前記キースイッチモジュールを有する電子装置を提供する。
【００１０】
以上述べたところをまとめると、本考案のキースイッチモジュールによれば、静電気試験を行う場合に、発光素子が静電気電流に電撃される可能性を下げ、延いては免れることができる。また、これらの貫通孔は、更に発光素子とスペーサーに対する有効な位置決め方式に役立ち、位置決めによる人力コスト及び時間を下げる。
【図面の簡単な説明】
【００１１】
下記図面の詳細な説明は、本考案の前記または他の目的、特徴、メリット、実施例をより分りやすくするためのものである。
【００１２】
【図１】実施例１における本考案のキースイッチモジュールの分解略図である。
【図２】図１が組み立てられた後の側面図である。
【図３】実施例２における本考案のキースイッチモジュールの分解略図である。
【図４】図３が組み立てられた後の側面図である。
【図５】実施例１における本考案の電子装置の部分拡大図である。
【考案を実施するための形態】
【００１３】
以下、図面及び詳細な説明を用いて、本考案の精神を明確に説明するが、当業者は、本考案の好ましい実施例を分った後、本考案に示された技術に基づいて、本考案の精神と範囲から逸脱しない限り、変更または修正を加えることができる。
【００１４】
本考案は、静電気電流がアース端にリードされる短い経路を提供することによって、キースイッチモジュールの静電気試験を行う場合に、静電気電流は発光素子を電撃する前に、すでにアース端にリードされており、発光素子が静電気電流に電撃される可能性を下げ、延いては免れるキースイッチモジュール、キーボード及び電子装置を提供する。
【００１５】
図１及び図２を参照すれば、図１は、実施例１における本考案のキースイッチモジュール１００の分解略図である。図２は、図１が組み立てられた後の側面図である。
【００１６】
本考案のキースイッチモジュール１００は、金属ベースプレート２００、回路基板３００、少なくとも一つの発光素子３２０、少なくとも一つのスペーサー４００を含む。回路基板３００は、金属ベースプレート２００の一面に積み重ねられ、且つ金属ベースプレート２００を露出可能な複数の抜け穴３１０を有する。発光素子３２０は、回路基板３００の一面に設けられ、外へ発光するための電源及び信号を回路基板３００から得る。スペーサー４００は、回路基板３００の一面に平らに敷かれ、発光素子３２０を覆っており、発光素子３２０をスペーサー４００と回路基板３００との間に位置させる。スペーサー４００は、第１の透光部４１０と複数の貫通孔４２０を有する。第１の透光部４１０は、スペーサー４００に設けられ、発光素子３２０から発生した光線Ｌを第１の透光部４１０を介して出力させるように発光素子３２０の一つの光発生面と整列する。これらの貫通孔４２０は、スペーサー４００に設置され、仮想な直列コイルＣによって共に第１の透光部４１０をその中に取り囲み、また、これらの貫通孔４２０が別々に下にあるこれらの抜け穴３１０と一対一で合わせて、別々に合わせる抜け穴３１０と通路を形成して、これらの貫通孔４２０に金属ベースプレート２００を露出させる。
【００１７】
このように、図２に示すように、このキースイッチモジュール１００に対して静電気試験を行う場合に、スペーサー４００の第１の透光部４１０に達する前に、静電気電流Ｓは、先にその内の一つの貫通孔４２０及びそれに合わせた抜け穴３１０を介して金属ベースプレート２００に達し、かつ金属ベースプレート２００を介してアース端（図に示されない）に導かれる可能性が極めて高い。そのため、発光素子３２０が静電気電流Ｓに電撃されて故障が発生する可能性を下げ、延いては免れることができる。
【００１８】
また、第１の透光部４１０がこれらの貫通孔４２０に取り囲まれるため、取付人員は、発光素子３２０の光発生面をこれらの貫通孔４２０の直列コイルＣの範囲に向かせるだけでよく、スペーサー４００の第１の透光部４１０に合わせる必要がなく、位置決めによる人力コストと時間を下げる。
【００１９】
具体的に言うと、スペーサー４００は、第１の透光部４１０を取り囲む不透光領域４３０（例えば、黒いマスク又はコーティング）をさらに含むため、発光素子３２０から発生した光線Ｌがより顕著的に第１の透光部４１０から抜けることができる。
【００２０】
この実施例１において、このスペーサー４００は、予めエンボス処理を実施する必要がないため、その表面にエンボス構造がなく、事前のエンボス処理によるコストを下げられる。また、このスペーサー４００は、フレキシブル性を有し、かつ回路基板３００及び発光素子３２０に平らに敷かれた後、直接に実体でこの発光素子３２０と接触する。
【００２１】
実施例１の一変化において、第１の透光部４１０は、発光素子３２０の光発生面に向き、発光素子３２０の部分光線Ｌを出力するための貫通された通気孔であってよい。
【００２２】
この実施例１において、通気孔の深さを増加するように、スペーサー４００の厚さを（例えば、１ミリメートルに）大きくして、発光素子３２０におけるずれ角度の小さい光線Ｌを通気孔を通り抜けさせることを考えてよいため、第１の透光部４１０から抜けた光線Ｌは、比較的に一致な方向を有し、指向性無く散布することがなく、望まない視覚効果を免れることができる。
【００２３】
実施例１の他の変化において、第１の透光部４１０は、発光素子３２０の光発生面に向き、発光素子３２０の部分光線Ｌに通過させるための、スペーサー４００を貫通しない透光パターン（例えば、透明又は半透明）であってよい。
【００２４】
第１の透光部４１０がスペーサー４００を貫通しない透光パターンである場合に、発光素子３２０が静電気電流Ｓに傷つけられないように、静電気電流Ｓと発光素子３２０を隔絶してもよいことは理解すべきである。
【００２５】
図３及び図４を参照すれば、図３は、実施例２における本考案のキースイッチモジュール１００の分解略図である。図４は、図３が組立てられた後の側面図である。
【００２６】
この実施例２において、このスペーサー４００は、予めエンボス処理を実施されてよいため、その表面にエンボス部４４０を有する。エンボス部４４０は、このスペーサー４００の表面から直立的に突出し、その内に収納空間４５０（図４）を有する。エンボス部４４０が例えば半球形であり、第１の透光部４１０は、発光素子３２０の光発生面にまっすぐに向くように、エンボス部４４０に位置する。このスペーサー４００が回路基板３００及び発光素子３２０に置かれる場合に、エンボス部４４０は、発光素子３２０を収納空間４５０内に位置させるように発光素子３２０をカバーし、発光素子３２０の光発生面と距離Ｄを保持する。このように、発光素子３２０の部分光線は、ずれ角度が大きすぎるために、エンボス部４４０の内壁に吸収されたり反射されることに対して、発光素子３２０のずれ角度が小さい光線Ｌは、エンボス部４４０の第１の透光部４１０を通り抜けることができる。つまり、第１の透光部４１０から抜けた光線Ｌは、比較的に一致な方向を有し、指向性無く散布することがなく、望まない視覚効果を免れることができる。
【００２７】
実施例２の一変化において、第１の透光部４１０は、発光素子３２０の光発生面に向き、発光素子３２０の部分光線Ｌを出力するための、スペーサー４００を貫通した通気孔であってよい。
【００２８】
実施例２の他の変化において、第１の透光部４１０は、発光素子３２０の光発生面に向き、発光素子３２０の部分光線Ｌを出力するための、スペーサー４００を貫通しない透光パターン（例えば、透明又は半透明）であってよい。第１の透光部４１０が貫通されていない透光パターンである場合に、発光素子３２０が静電気電流Ｓに傷つけられないように、静電気電流Ｓと発光素子３２０を隔絶してもよいことは理解すべきである。
【００２９】
図２及び図４を参照すれば、本考案は、前記これらの実施例において、発光素子３２０及びスペーサー４００の数を限定しない。スペーサー４００は、単一の面積の大きいスペーサー４００であってよいし、又は複数の面積の小さいスペーサー４００であってもよい。スペーサー４００は、単一の面積の大きいスペーサー４００である場合に、回路基板３００全体及びこれらの発光素子３２０を覆うことができる。逆に、スペーサー４００が複数の面積の小さいスペーサー４００である場合に、各スペーサー４００は、回路基板３００における各発光素子３２０を覆う。
【００３０】
また、本考案は、前記これらの実施例において、回路基板、発光素子、スペーサーの種類又は材料を限定しない。前記これらの実施例において、回路基板が、例えば、フレキシブル回路基板（ｆｌｅｘｉｂｌｅ  ｅｌｅｃｔｒｉｃ  ｐｒｉｎｔｅｄ  ｆｉｌｍ）であり、発光素子が、例えば、発光ダイオード（ｌｉｇｈｔ  ｅｍｉｔｔｅｄ  ｄｉｏｄｅｓ）であり、スペーサーが、例えば、ポリエステル樹脂等の柔軟な材質からなるものである。
【００３１】
図５を参照すれば、図５は、実施例１における本考案の電子装置９００の部分拡大図である。本考案は、前記これらの実施例において、キーキャップ５００、連動装置６００、エラストーマ７００及びスイッチ３３０をさらに含む。キーキャップ５００は、スペーサー４００の上に設けられ、第１の透光部４１０と整列する第２の透光部５１０を含む。エラストーマ７００は、金属ベースプレート２００とキーキャップ５００との間にあり、連動装置６００に隣接して、連動装置６００及びキーキャップ５００をサポートして回復させる。連動装置６００がキーキャップ５００と金属ベースプレート２００に同時に接続され、好ましくは連動装置６００（Ｓｃｉｓｓｏｒｓ-ｓｔｒｕｃｔｕｒｅ  ｋｅｙｓｗｉｔｃｈ）が別々にキーキャップ５００と金属ベースプレート２００に枢動して、展開してからキーキャップ５００を連動させて金属ベースプレート２００に近づき、縮んだ後キーキャップ５００を連動させて金属ベースプレート２００から離れる。スイッチ３３０がエラストーマ７００の触発部７１０と整列しており、連動装置６００がキーキャップ５００を連動させて金属ベースプレート２００に近づいて、エラストーマ７００を変形させた場合に、エラストーマ７００の触発部７１０がスイッチ３３０を触発して、このキーキャップ５００に定義されたメッセージを送る。同時に、発光素子３２０は、回路基板３００によりメッセージを受信してから、適宜な時機に第１の透光部４１０及び第２の透光部５１０を介して外へ光線Ｌを発生する。
【００３２】
再び図５を参照すれば、本考案が前記これらの実施例に開示したキースイッチモジュール１００は、キーボード８００に応用されてよく、キーボード８００における数が一定でないキースイッチに指示ランプ機能を持たせると共に、その発光素子３２０を静電気電流Ｓによる傷害から保護できる。本考案の前記キーボード８００の形式は、独立なキーボード８００（例えば、有線又は無線キーボード装置）又は携帯式電子装置（例えば、ノートパソコン又は携帯電話）に組み合わされた埋め込み型キーボードに限定されない。本考案の前記キーボードの種類も、一般的なキーボード、チョコレートキーボード、アイソレーションキーボード或はフローティングキーボード等に限定されない。
【００３３】
再び図５を参照すれば、本考案が前記これらの実施例に開示したキースイッチモジュール１００は、電子装置９００に応用されてよく、電子装置９００のキースイッチに指示ランプ機能を持たせると共に、その発光素子３２０を静電気電流Ｓによる傷害から保護する。本考案は、電子装置の種類を限定しなく、前記キースイッチモジュール１００を有する電子装置９００であれば、本考案の保護しようとする範囲にあり、本考案の電子装置が、ノートパソコン、携帯電話、ビデオカメラ、カメラ、ゲーム機、言語通訳機、ミュージックプレイヤー、ディスプレー、デジタルアルバム、照明器具の一つに限定されない。
【００３４】
本考案では好適な実施例を前述の通り開示したが、当業者であれば、本考案の精神と範囲から逸脱しない限り、多様の変動や修正を加えることができ、従って、本考案の保護範囲は、後の特許請求の範囲の記載によって限定される。
【符号の説明】
【００３５】
１００  キースイッチモジュール、２００  金属ベースプレート、３００  回路基板、３１０  抜け穴、３２０  発光素子、３３０  スイッチ、４００  スペーサー、４１０  第１の透光部、４２０  貫通孔、４３０  不透光領域、４４０  エンボス部、４５０  収納空間、５００  キーキャップ、５１０  第２の透光部、６００  連動装置、７００  エラストーマ、７１０  触発部、８００  キーボード、９００  電子装置、Ｃ  直列コイル、Ｄ  距離、Ｌ  光線、Ｓ  静電気電流
【図１】
0003168707.tif 000003
【図２】
0003168707.tif 000004
【図３】
0003168707.tif 000005
【図４】
0003168707.tif 000006
【図５】
0003168707.tif 000007